(57)【要約】【課題】部品点数を削減してコストダウンを図ることができるとともに、ＥＶＦと外装ケースとの相対的な位置ズレを防止することができる撮像装置を提供する。【解決手段】ＥＶＦユニット５０をマウントフレーム１４に対して変位（フローティング）可能に保持したことにより、撮像システム６０に背面ケース７０を組み付ける際にＥＶＦユニット５０の位置を変位させることができるため、撮像システム６０を形成している各部品や背面ケースの取付精度や加工精度にバラツキが生じていたとしても、ＥＶＦユニット５０を背面ケース７０の開口部７１の正規の位置へガイドして配置することができる。したがって、ＥＶＦユニット５０と開口部７１との間に隙間が生じないため、デジタルカメラの品格を向上させることができる。【選択図】図１３
2010107747.tif 000002
【特許請求の範囲】
【請求項１】
ビューファインダーユニットと、
前記ビューファインダーユニットと構造体を内包するケースとを備え、
前記ビューファインダーユニットは、
前記構造体に対して変位可能に保持され、前記ケースが取り付けられたときに前記ケースに形成された開口部に保持される、撮像装置。
【請求項２】
前記構造体は、前記ビューファインダーユニットを保持する部位に突起部を備え、
前記ビューファインダーユニットは、
前記突起部の外径よりも大きな内径を有する孔部を備え、
前記突起部を前記孔部に嵌合させた状態において、前記構造体に対して変位可能に保持されている、請求項１記載の撮像装置。
【請求項３】
前記構造体は、前記ビューファインダーユニットを保持する部位に突起部を備え、
前記ビューファインダーユニットは、
前記突起部の外径よりも大きな内径を有し、前記突起部の突出方向の長さ寸法よりも浅い孔部を備え、
前記突起部を前記孔部に嵌合させた状態において、前記突起部の突出方向に変位可能に保持されている、請求項１記載の撮像装置。
【請求項４】
前記ビューファインダーユニットは、画像信号に基づく画像を表示可能な表示手段を備えた、請求項１〜３のいずれか一項に記載の撮像装置。
【請求項５】
前記ケースは、前記開口部内における互いに対向する内面の少なくとも一方にリブを備え、
前記ビューファインダーユニットは、
前記リブを保持する保持部を備え、
前記リブに当接して第１の方向の位置が規制され、
前記保持部で前記リブを保持することにより、前記第１の方向に略直交する第２の方向の位置が規制される、請求項１記載の撮像装置。
【請求項６】
前記ケースは、前記開口部内における互いに対向する内面の少なくとも一方に保持部を備え、
前記ビューファインダーユニットは、
前記保持部に保持されるリブを備え、
前記リブが前記ケースの前記内面に当接することにより、第１の方向の位置が規制され、
前記保持部で前記リブを保持することにより、前記第１の方向に略直交する第２の方向の位置が規制される、請求項１記載の撮像装置。
【発明の詳細な説明】
【技術分野】
【０００１】
本発明は、ビューファインダーを備えた撮像装置に関する。
【背景技術】
【０００２】
近年のデジタルカメラは、撮像素子で撮像されている画像を表示することができる大型の液晶モニタ（以下ＬＣＤと称する）とともに、使用者が覗き込むことで画像を視認することができる電子ビューファインダー（以下ＥＶＦと称する）を備えているものがある。ＥＶＦは、略直方体のケース内に１〜２インチ程度の小型の液晶モニタを備えて構成され、ＬＣＤに表示される画像と同様の画像を表示させることができる。ＥＶＦを備えることで、晴天時の屋外撮影などのようにＬＣＤの表示が見にくい撮影環境において、良好に画像を視認することができる。特許文献１には、ＥＶＦを備えたデジタルカメラの構成が開示されている。
【特許文献１】特開２００５−２６８８７号公報
【発明の開示】
【発明が解決しようとする課題】
【０００３】
しかしながら、デジタルカメラに備わるＥＶＦは、そのケースの底面の四隅近傍をデジタルカメラ内のフレームやミラーボックス（一眼レフタイプのデジタルカメラの場合）にネジで固定する構成をとっていたため、部品点数が増え、コストアップにつながっていた。
【０００４】
また、ＥＶＦは、フレームやミラーボックスにネジで固定された後、デジタルカメラの外装ケースに形成された開口部に挿入配置される。この時、デジタルカメラ内の各部品や外装ケースの取付精度や加工精度にバラツキがあると、ＥＶＦと外装ケースとの間に相対的な位置ズレが生じる。すると、ＥＶＦを外装ケースの開口部に挿入することができなかったり、ＥＶＦと開口部との間に隙間ができてしまい品格を低下させてしまうなどの問題が生じていた。
【０００５】
本発明は、部品点数を削減してコストダウンを図ることができるとともに、ＥＶＦと外装ケースとの相対的な位置ズレを防止することができる撮像装置を提供することを目的とする。
【課題を解決するための手段】
【０００６】
本発明の撮像装置は、ビューファインダーユニットと、前記ビューファインダーユニットと構造体を内包するケースとを備え、前記ビューファインダーユニットは、前記構造体に対して変位可能に保持され、前記ケースが取り付けられたときに前記ケースに形成された開口部に保持されるものである。
【発明の効果】
【０００７】
本発明によれば、部品点数を削減してコストダウンを図ることができるとともに、ＥＶＦと外装ケースとの相対的な位置ズレを防止することができる。
【発明を実施するための最良の形態】
【０００８】
本発明の撮像装置は、上記構成を基本として以下のような態様をとることができる。すなわち、本発明の撮像装置において、前記構造体は、前記ビューファインダーユニットを保持する部位に突起部を備え、前記ビューファインダーユニットは、前記突起部の外径よりも大きな内径を有する孔部を備え、前記突起部を前記孔部に嵌合させた状態において、前記構造体に対して変位可能に保持されている構成とすることができる。このような構成とすることで、撮像システムを構成している部品の取付精度や加工精度にバラツキが生じていたとしても、ビューファインダーユニットを変位させることで、ビューファインダーユニットを正規の位置に取り付けることができる。
【０００９】
本発明の撮像装置において、前記構造体は、前記ビューファインダーユニットを保持する部位に突起部を備え、前記ビューファインダーユニットは、前記突起部の外径よりも大きな内径を有し、前記突起部の突出方向の長さ寸法よりも浅い孔部を備え、前記突起部を前記孔部に嵌合させた状態において、前記突起部の突出方向に変位可能に保持されている構成とすることができる。このような構成とすることで、撮像システムを構成している部品の取付精度や加工精度にバラツキが生じていたとしても、ビューファインダーユニットを変位させることで、ビューファインダーユニットを正規の位置に取り付けることができる。
【００１０】
本発明の撮像装置において、前記ビューファインダーユニットは、前記撮像素子で生成された画像信号に基づく画像を表示可能な表示手段を備えた構成とすることができる。
【００１１】
本発明の撮像装置において、前記ケースは、前記開口部内における互いに対向する内面の少なくとも一方にリブを備え、前記ビューファインダーユニットは、前記リブを保持する保持部を備え、前記リブに当接することにより第１の方向の位置が規制され、前記保持部で前記リブを保持することにより、前記第１の方向に略直交する第２の方向の位置が規制される構成とすることができる。このような構成とすることで、ビューファインダーユニットを撮像システムに固定する部品の点数を少なくすることができ、コストダウンを図ることができる。
【００１２】
本発明の撮像装置において、前記ケースは、前記開口部内における互いに対向する内面の少なくとも一方に保持部を備え、前記ビューファインダーユニットは、前記保持部に保持されるリブを備え、前記リブが前記ケースの前記内面に当接することにより、第１の方向の位置が規制され、前記保持部で前記リブを保持することにより、前記第１の方向に略直交する第２の方向の位置が規制される構成とすることができる。このような構成とすることで、ビューファインダーユニットを撮像システムに固定する部品の点数を少なくすることができ、コストダウンを図ることができる。
【００１３】
（実施の形態）
〔１．撮像装置の構成〕
図１は、本実施の形態の撮像装置の一例である一眼タイプのカメラボディの外観を示す斜視図である。図２は、図１に示すカメラボディの正面図である。図３は、図１に示すカメラボディの背面図である。
【００１４】
なお、本実施の形態では、ミラーボックスを備えず、電子ビューファインダー（ＥＶＦ）と液晶モニタ（ＬＣＤ）とを備えた一眼タイプのデジタルカメラを一例として挙げて説明している。
【００１５】
図１及び図２に示すように、カメラボディ１の上面１ａには、レリーズボタン２、モードダイヤル３などが配されている。レリーズボタン２は、押圧操作することで被写体を撮影する操作を行うことができたり、オートフォーカス機能を備えている撮像装置の場合は半押し操作をすることでフォーカスレンズを光軸方向へ移動させて被写体に対して合焦させる操作を行うことができる。モードダイヤル３は、回転操作を行うことができ、回転操作を行うことで各種撮影モードなどを選択することができる。
【００１６】
また、カメラボディ１の前面１ｂ（上面１ａに略直交する面で、被写体を撮影する際に被写体側に向く面）には、レンズマウント４などが配されている。レンズマウント４は、略円形の開口部４ａを備えている。また、レンズマウント４は、レンズユニットを着脱することができる。
【００１７】
また、図３に示すように、前面１ｂの裏側である背面１ｃには、撮像センサー（後述）で撮像されている画像などを表示することができる液晶モニタ５及びＥＶＦ６と、メニュー画面の操作などを行うことができるカーソルボタン７などの各種操作部などが配されている。ＥＶＦ６は、略直方体のケース内に１〜２インチ程度の液晶モニタと視度調整用レンズなどが内蔵されて構成されている。
【００１８】
〔２．撮像システムの構成〕
図１〜図３に示す撮像装置には、撮像システムが内蔵されている。撮像システムは、主にマウントユニット、シャッターユニット、撮像ユニットから構成されている。以下、撮像システムの構成について説明する。
【００１９】
図４Ａは、撮像システムの分解斜視図である。図４Ｂは、図４Ａにおける部品群Ｐ１の拡大斜視図である。図４Ｃは、図４Ａにおける部品群Ｐ２の拡大斜視図である。部品群Ｐ１は、マウントユニットを構成している部品群である。部品群Ｐ２は、主にシャッターユニット２０、撮像ユニット３０、放熱板１７を含む。
【００２０】
図４Ａに示すように、撮像システムは、光軸Ｌ方向の前面１ｂ（図１等参照）側から光軸Ｌに沿って、レンズマウント４、レンズマウントスプリング１２、コンタクトピンユニット１３、メインフレーム１１、マウントフレーム１４、シャッターユニット２０、撮像ユニット３０、放熱板１７の順に配されている。このような部品の配置順は一例である。なお、本実施の形態の説明では、撮像システムに含まれる部品において、矢印Ｘに示す方向を向く面を「表面」と定義し、矢印Ｙに示す方向を向く面を「裏面」と定義する。以下、各部品の構成について説明する。
【００２１】
図４Ｂに示すように、メインフレーム１１は、ステンレスなどの金属で形成され、略中央に光を撮像センサーへ導くための開口部１１ａが形成されている。また、メインフレーム１１は、開口部１１ａの周囲に複数（本実施の形態では４本）のネジ１０２を挿通可能な孔部１１ｂが形成されている。
【００２２】
レンズマウント４は、ステンレスなどの金属で形成され、略中央に光を撮像センサーへ導くための開口部４ａが形成されている。また、レンズマウント４は、ネジ１０１を挿通可能な複数（本実施の形態では４カ所）の孔部４ｂが形成されている。また、レンズマウント４は、レンズロックピン１５（後述）の突起部１５ａが挿通配置される孔部４ｄが形成されている。また、レンズマウント４は、使用者がレンズユニットをカメラボディ１に装着する際に、レンズユニットとレンズマウント４との位置（光軸Ｌを中心とした回転方向の相対位置）を合わせるために用いるマーク４ｅが形成されている。
【００２３】
レンズマウントスプリング１２は、略中央に光を撮像センサーへ導くための開口部１２ａが形成されている。また、レンズマウントスプリング１２は、外周縁部近傍に複数（本実施の形態では３カ所）のバネ部１２ｂが形成されている。バネ部１２ｂは、光軸Ｌ方向に弾性変形可能である。レンズマウントスプリング１２は、表面１２ｃがレンズマウント４の裏面４ｃに当接し、バネ部１２ｂとマウントフレーム１４の表面１４ｄとの間には僅かな空隙を有する。バネ部１２ｂは、カメラボディ１に装着されたレンズユニットの係合部に弾性変形を伴いながら当接する。これにより、カメラボディ１とレンズユニットとの間のガタツキを低減させることができる。
【００２４】
コンタクトピンユニット１３は、樹脂製のフレーム１３ａに、複数（本実施の形態では１１本）のコンタクトピン１３ｂを備えた構成となっている。コンタクトピン１３ｂは、光軸Ｌ方向におけるレンズマウント４側に突出して配されている。また、コンタクトピン１３ｂは、レンズユニットをレンズマウント４に装着した際に、レンズユニットに備わるコネクタに機械的および電気的に結合することができる。これにより、カメラボディ１内に配されたカメラマイコンとレンズユニット内に配されたレンズマイコンとの間で情報通信を行うことができる。また、コンタクトピンユニット１３は、ネジ１０４を挿通可能な複数（本実施の形態では２カ所）の孔部１３ｃが形成されている。
【００２５】
マウントフレーム１４は、樹脂で形成され、略中央に光を撮像センサーへ導くための開口部１４ａが形成されている。また、マウントフレーム１４は、開口部１４ａの周囲に略円筒形状の突部１４ｅが形成されている。突部１４ｅは、その表面１４ｄにネジ１０１を螺合可能な複数（本実施の形態では４カ所）のネジ穴１４ｂが形成されている。また、突部１４ｅは、メインフレーム１１の開口部１１ａに挿通可能な外径を有する。また、マウントフレーム１４は、突部１４ｅの周囲に複数（本実施の形態では４カ所）のネジ穴１４ｃが形成されている。また、マウントフレーム１４は、開口部１４ａの近傍に複数（本実施の形態では２カ所）のネジ穴１４ｇが形成されている。ネジ穴１４ｇは、ネジ１０４が螺合される。
【００２６】
レンズロックピン１５は、一方の端部に突起部１５ａが形成され、他方の端部に押圧部１５ｂが形成されている。突起部１５ａは、レンズマウント４に形成された孔部４ｄに挿通配置される。また、突起部１５ａは、レンズユニットがレンズマウント４における正規の位置に装着されている時に、レンズユニットに形成された凹部（不図示）に嵌合可能である。このように突起部１５ａをレンズユニットに形成された凹部に嵌合させることにより、レンズマウント４に装着されたレンズユニットの光軸Ｌを中心とした回転方向の位置決めを行うことができる。押圧部１５ｂは、カメラボディ１の前面１ｂに配されたロック解除ボタン５（図１等参照）の後方に配され、使用者によりロック解除ボタン５の表面側が押圧操作されることで、ロック解除ボタン５により図４Ａの矢印Ｙに示す方向に押圧される部位である。また、レンズロックピン１５は、突起部１５ａが配された面の裏面側にロックピンスプリング１６が配され、常に図４Ａの矢印Ｘに示す方向に付勢されている。これにより、レンズロックピン１５は、ロック解除ボタン５が押圧操作されることにより、ロックピンスプリング１６の付勢力に抗して図４Ａの矢印Ｙに示す方向へ変位する。ロック解除ボタン５を図４Ａの矢印Ｙに示す方向に押圧し、突起部１５ａがレンズユニットに形成された凹部から離脱することで、レンズユニットを光軸Ｌを中心とした回転方向へ回転させることができる状態になり、レンズユニットをレンズマウント４から取り外すことができる。
【００２７】
図４Ｃに示すように、シャッターユニット２０は、シャッター機構２１、シャッター制御部２２、モータ２３とを備えている。シャッター機構２１は、外部から入射する光を撮像ユニット３０内の撮像センサー（後述）へ導くために略四角形の開口部２１ａが形成されている。また、シャッター機構２１は、開口部２１ａを通る光を遮断可能な板状の先幕２１ｂ及び後幕２１ｃを備えている。なお、説明の便宜上、図４Ｃにおいては先幕２１ｂが開口部２１ａの下方の収納部に収納され、後幕２１ｃが開口部２１ａの上方の収納部に収納されている状態を図示している。先幕２１ｂ及び後幕２１ｃは、矢印ＡおよびＢに示す方向に移動可能に配されている。シャッター制御部２２は、プランジャー機構を内蔵し、先幕２１ｂ及び後幕２１ｃを退避状態（図４Ｃに示すように先幕２１ｂが開口部２１ａの下方の収納部に、後幕２１ｃが開口部２１ａの上方の収納部にそれぞれ収納され、開口部２１ａから退避した状態）で保持させることができる。モータ２３は、後幕２１ｃを開口部２１ａの上方の収納部内へ移動させる駆動力をシャッター制御部２２に与える。また、シャッターユニット２０は、ネジ１０３を挿通可能な複数（本実施の形態では３カ所）の孔部２０ａが形成されている。
【００２８】
ここで、シャッターユニット２０の基本的な動作を説明する。撮像センサーにレンズユニットを介した光を入射させて、液晶モニタに画像を表示させている状態（所謂モニタ状態）の時は、先幕２１ｂは、シャッター制御部２２により開口部２１ａの下方の収納部に収納され、後幕２１ｃは、シャッター制御部２２により開口部２１ａの上方の収納部に収納された位置にチャージされている（退避状態）。
【００２９】
そして、レリーズボタン２（図１等参照）が押圧操作されると、先幕２１ｂは、モータ２３から与えられる駆動力により矢印Ａに示す方向へ移動され、開口部２１ａを遮光する状態になる。次に、シャッター制御部２２により、先幕２１ｂ及び後幕２１ｃのチャージが段階的に解除される。具体的には、まず先幕２１ｂが開口部２１ａを遮光している位置から矢印Ｂに示す方向へ移動し、所定時間経過後に後幕２１ｃが開口部２１ａの上方の収納部から矢印Ｂに示す方向へ移動する。これにより、先幕２１ｂは、開口部２１ａの下方の収納部に収納された状態になり、後幕２１ｃは、開口部２１ａを遮光する状態になる。この時、先幕２１ｂが開口部２１ａから退避した後、後幕２１ｃが開口部２１ｂを遮光するまでの間に撮像センサー４０（後述）に入射する光に基づき、画像信号が生成される。この時に生成される画像信号が、使用者によるレリーズ操作に基づき得られる画像信号となる。
【００３０】
その後、後幕２１ｃは、モータ２３からシャッター制御部２２に与えられる駆動力により矢印Ａに示す方向へ移動され、再び開口部２１ａの上方の収納部内へ収納され、シャッター制御部２２によりチャージされる。先幕２１ｂは、開口部２１ａの下方の収納部に収納されたままである。したがって、レンズユニットを介して入射する光が撮像ユニット３０内の撮像センサー４０（後述）に入射するモニタ状態となる。
【００３１】
放熱板１７は、撮像ユニット３０の裏面側に配され、撮像ユニット３０で発生した熱を吸収し、放熱することができる。
【００３２】
撮像ユニット３０は、シャッターユニット２０の裏面側に配され、シャッターユニット２０を介した光を電気信号に変換して出力することができる。また、撮像ユニット３０には、超音波振動を発生させて撮像ユニット３０に付着した埃などの異物を除去することができる塵埃除去フィルターを備えている。本実施の形態では、塵埃除去フィルターの一例としてＳＳＷＦ（Supersonic Wave Filter）を備えている。本実施の形態のカメラボディ１は、図１及び図２に示すようにレンズユニットが装着されていない状態では、レンズマウント４の開口部４ａが開口しており、内部に埃などの異物が侵入する可能性がある。また、前述したようにシャッターユニットがノーマリーオープンタイプであり、撮像ユニット３０がレンズマウント４側から目視可能な状態となるため、撮像ユニット３０に異物が付着する可能性がさらに高くなる。撮像ユニット３０に異物が付着すると異物が画像に写り込むなどの問題が生じる。そこで、一眼レフタイプのデジタルカメラや本実施の形態のような一眼タイプのデジタルカメラでは、ＳＳＷＦを備えて、ＳＳＷＦを振動させることで、撮像センサー３０に付着した異物を振り落とす構成がとられている。
【００３３】
図５Ａは、撮像ユニット３０の分解斜視図である。また、図５Ｂは、図５Ａにおける部品群Ｐ３の拡大斜視図である。図５Ｃは、図５Ａにおける部品群Ｐ４の拡大斜視図である。部品群Ｐ３は、ＳＳＷＦを構成している部品群である。部品群Ｐ４は、主にローパスフィルター（以下、ＬＰＦと称する）、撮像ユニットを含む部品群である。
【００３４】
図５Ａに示すように、撮像ユニット３０は、光軸Ｌ方向においてＳＳＷＦスプリング３１、ＳＳＷＦスプリングホルダー３２、フィルター３３、ＳＳＷＦラバー３４、ＳＳＷＦベース３５、ＬＰＦスプリング３６、ＬＰＦプロテクトシート３７、ＬＰＦ３８、ＬＰＦパッキン３９、撮像センサー４０、基板４１の順に配されている。図５Ａ及び図５Ｂに示すように、フィルター３３は、透明の円盤状の部材で形成され、縁部近傍に圧電素子３３ａが配されている。圧電素子３３ａは、電圧が印加されることで、フィルター３３に振動を発生させることができる。フィルター３３は、ＳＳＷＦラバー３４とともにＳＳＷＦベース３５に保持されている。フィルター３３、ＳＳＷＦラバー３４は、ネジ１０５でＳＳＷＦベース３５に固定されたＳＳＷＦスプリング３１及びＳＳＷＦスプリングホルダー３２によりＳＳＷＦベース３５に保持されている。なお、ネジ１０５は、図５Ｂに示すように、ＳＳＷＦベース３５の開口部３５ａの周囲に形成された複数（本実施の形態では３カ所）のネジ穴３５ｂに螺合される。
【００３５】
また、ＳＳＷＦベース３５の裏面側には、図５Ｃに示すように、ＬＰＦスプリング３６、ＬＰＦプロテクトシート３７、ＬＰＦ３８、およびＬＰＦパッキン３９を挟んで、撮像センサー４０が固定される。具体的には、撮像センサー４０の撮像面４０ａがＬＰＦパッキン３９を挟んでＬＰＦ３８に対向するように、ＳＳＷＦベース３５に固定される。撮像センサー４０を固定するための複数（本実施の形態では３本）のネジ１０６は、撮像センサー４０に形成された複数（本実施の形態では３カ所）の孔部４０ｂを挿通し、ＳＳＷＦベース３５の裏面に形成されたネジ穴（不図示）に螺合される。
【００３６】
また、撮像センサー４０の裏面側には、基板４１が配される。基板４１は、撮像センサー４０に電気的に接続された各種電気部品が実装されている。また、基板４１は、ネジ１０７を挿通可能な複数（本実施の形態では２カ所）の孔部４１ａが形成され、複数（本実施の形態では２本）のネジ１０７を、孔部４１ａを挿通させてＳＳＷＦベース３５の裏面に形成されたネジ穴（不図示）に螺合させることにより、ＳＳＷＦベース３５に固定される。
【００３７】
以上により、撮像ユニット３０が完成する。撮像ユニット３０に入射した光は、フィルター３３、ＬＰＦ３８を透過し、撮像センサー４０の撮像面４０ａに到達するように構成されている。撮像センサー４０は、入射する光を電気信号に変換して出力する。
【００３８】
上記のように構成された撮像システムを組み立てる際は、図４Ａ及び図４Ｂにおいて、まず、コンタクトピンユニット１３をマウントフレーム１４に固定する。具体的には、ネジ１０４を、孔部１３ｃに挿通させてネジ穴１４ｇに螺合させる。
【００３９】
次に、レンズマウント４を、レンズマウントスプリング１２を挟んで、マウントフレーム１４の表面１４ｄに固定する。具体的には、ネジ１０１を、孔部４ｂに挿通させてネジ穴１４ｂに螺合させる。この時、レンズロックピン１５の突起部１５ａがレンズマウント４に形成された孔部４ｄを挿通するように配置する。また、レンズロックピン１５における突起部１５ａの裏面とレンズマウントスプリング１２との間に、レンズロックピン１５の変位方向とレンズマウントスプリング１２の伸縮方向とが略一致するように、ロックピンスプリング１６を配置させる。
【００４０】
次に、マウントフレーム１４をメインフレーム１１に固定する。具体的には、レンズマウント４などが固定された突部１４ｅを、メインフレーム１１の開口部１１ａに挿通させて、マウントフレーム１４の当接面１４ｈをメインフレーム１１の裏面１１ｃに当接させる。次に、ネジ１０２を、孔部１１ｂに挿通させてネジ穴１４ｃに螺合させる。
【００４１】
次に、図４Ａ及び図４Ｃにおいて、マウントフレーム１４の裏面にシャッターユニット２０を固定する。具体的には、シャッターユニット２０を、その開口部２１ａとマウントフレーム１４の開口部１４ａとを略一致させて、マウントフレーム１４の裏面に当接させる。次に、ネジ１０３を、シャッターユニット２０に形成された孔部２０ａに挿通させて、マウントフレーム１４の裏面に形成されたネジ穴（不図示）に螺合させる。
【００４２】
次に、シャッターユニット２０の裏面に撮像ユニット３０を固定する。具体的には、ネジ１０８を、撮像ユニット３０に形成された複数（本実施の形態では３カ所）の孔部３５ｃに挿通させて、マウントフレーム１４に形成された複数（本実施の形態では３カ所）のネジ穴（不図示）に螺合させる。この時、撮像ユニット３０は、シャッターユニット２０におけるシャッター制御部２２に隣接した位置に配置される。
【００４３】
次に、撮像ユニット３０の裏面に放熱板１７を固定する。放熱板１７は、複数（本実施の形態では４本）のネジで撮像ユニット３０の裏面に固定する。
【００４４】
以上により、撮像システム６０が完成する。なお、上記の組立手順は一例であり、適宜順序を変えてもよい。例えば、本実施の形態では部品群Ｐ１を組み立ててから、マウントフレーム１４に部品群Ｐ２を固定する組立手順としたが、マウントフレーム１４に部品群Ｐ２を固定してから、部品群Ｐ１を固定する組立手順としてもよい。
【００４５】
〔３．ＥＶＦユニット及び背面ケースの構成〕
図６は、ＥＶＦユニット５０が装着された撮像システム６０と、背面ケース７０の分解斜視図である。図６に示すように、ＥＶＦユニット５０は、撮像システム６０の上部に２個のネジ６１によって装着されている。背面ケース７０は、撮像システム６０の背面側（光軸Ｌ方向における放熱板１７が配された側）に配される。また、背面ケース７０には、液晶モニタ５（図３参照）が装着されている。
【００４６】
図７Ａは、ＥＶＦユニット５０が装着された撮像システム６０の正面図である。図７Ｂは、撮像システム６０の上面図である。図７Ｃは、図７ＡにおけるＡ−Ａ部の断面図である。図８は、ＥＶＦユニット５０と撮像システム６０の分解斜視図である。ＥＶＦユニット５０は、略直方体のケース５１内に液晶モニタと視度調整用レンズを内蔵して構成されている。ケース５１は、軸Ｋ（ケース５１内に配された液晶モニタの表示面に略直交する軸）方向の一方の端部近傍にリブ５１ａ及び５１ｂが一体形成されている。また、ケース５１は、その上面に略「ハ」の字状（図７Ｂ参照）のガイド部５２が一体形成されている。ガイド部５２は、ケース５１の上面から突設した２枚の壁状の部材で構成され、２枚の壁状の部材の間には所定の幅寸法の空隙が形成されている。図７Ｂに示すように、ガイド部５２の空隙の幅寸法は、ケース５１に形成された開口部５３に近い側が最も大きくなるように形成され（最大寸法Ｗ１）、リブ５１ａ及び５１ｂに向かうに従い徐々に狭まるように形成されている（最小寸法Ｗ２）。
【００４７】
なお、図示は省略しているが、ケース５１の下面（上面の反対側の面）にも、ガイド部５２と同様のガイド部が形成されている。また、ケース５１は、軸Ｋ方向における他方の端部に開口部５３が形成されている（図３参照）。開口部５３は、外部からケース５１内に配された液晶モニタの表示を視認することができるように形成されている。また、図示は省略するが、開口部５３は、透明板により閉塞されている。
【００４８】
ＥＶＦユニット５０と撮像システム６０とを互いに結合する際は、図８に示すように、リブ５１ａに形成された孔部５１ｃ及びリブ５１ｂに形成された孔部５１ｄにそれぞれネジ６１を挿通し、そのネジ６１を撮像システム６０のマウントフレーム１４に形成されたネジ穴６２ａ及び６２ｂにそれぞれ螺結する。これにより、図９に示すようにＥＶＦユニット５０と撮像システム６０とを互いに結合することができる。
【００４９】
ＥＶＦユニット５０と撮像システム６０とを結合した状態では、ＥＶＦユニット５０と撮像システム６０とは完全に固定されているのではなく、意図的にガタツキを生じさせている。図１０は、図７ＣにおけるＭ部の拡大断面図である。図１０に示すようにネジ穴６２ｂは、マウントフレーム１４に一体的に突出形成されたボス６３に形成されている。ボス６３は、略円柱状に形成されており、段差部６３ａを挟んで第１の円柱部６３ｂと第２の円柱部６３ｃとから構成されている。第１の円柱部６３ｂの外径をＷ２１、孔部５１ｄの内径をＷ２２、第２の円柱部６３ｃの外径をＷ２３とした時、
Ｗ２１＜Ｗ２２＜Ｗ２３
の関係をなしている。したがって、第１の円柱部６３ｂは、寸法Ｗ２２とＷ２１との差分のクリアランスを持って、孔部５１ｄに嵌合している。また、ネジ６１の頭部の外径Ｗ２４は、孔部５１ｄの内径Ｗ２２よりも大きいため、第１の円柱部６３ｂを孔部５１ｄに嵌合させてネジ６１をネジ穴６２ｂに螺結させることにより、リブ５１ｂが第１の円柱部６３ｂから離脱するのを防ぐことができ、リブ５１ｂをボス６３に保持させることができる。
【００５０】
また、第１の円柱部６３ｂの側面（外周円筒面）と孔部５１ｄの内面との間には、寸法Ｗ１２のクリアランスが存在する。したがって、ＥＶＦユニット５０は、矢印Ｘに示す方向へ寸法Ｗ１２分変位（フローティング）可能なように撮像システム６０に保持されている。また、第１の円柱部６３ｂの高さ寸法ｈ１は、リブ５１ｂの厚さ寸法ｈ２よりも大きく形成され、孔部５１ｄに第１の円柱部６３ｂが嵌合した際にはリブ５１ｂとネジ６１の頭部との間には寸法Ｗ１１のクリアランスが存在する。したがって、ＥＶＦユニット５０は、矢印Ｙに示す方向へ寸法Ｗ１１分変位（フローティング）可能なように撮像システム６０に保持されている。よって、ＥＶＦユニット５０は、矢印Ｘ方向及び矢印Ｙ方向へのガタツキがある。
【００５１】
なお、図１０はリブ５１ｂ側の構成について図示しているが、リブ５１ａ側の構成も図１０と同様の構成を有している。
【００５２】
図１１Ａは、背面ケース７０の内面構成を示す正面図である。図１１Ｂは、図１１ＡにおけるＢ−Ｂ部の断面図である。図１１Ａ及び図１１Ｂに示すように、背面ケース７０には、ＥＶＦユニット５０を挿入配置するための開口部７１が形成されている。開口部７１の天面にはガイドリブ７２が形成され、天面に対向する底面にはガイドリブ７３が形成されている。ガイドリブ７２及び７３は、それぞれ天面及び底面から突出して形成された壁状の部材であり、その長手方向が開口部７１に対するＥＶＦユニット５０の軸Ｋ（図７Ｂ等参照）方向と略一致するように形成されている。また、図１１Ｂ及び図１１Ｃ（図１１Ｂにおける開口部７１近傍の拡大断面図）に示すように、ガイドリブ７２及び７３は、背面ケース７０の内面７４ａ側から外面７４ｂ側へ向かって、両者の間隔が徐々に狭まるように、その頂部が傾斜して形成されている。すなわち、ガイドリブ７２とガイドリブ７３との内面７４ａ側端部の間隔Ｗ３１は、外面７４ｂ側端部の間隔Ｗ３２よりも大きく形成されている。また、ガイドリブ７２は、内面７４ａ側から外面７４ｂ側へ向かって傾斜した傾斜部７２ａと、傾斜部７２ａに連続して形成された平坦部７２ｂとが形成されている。また、ガイドリブ７３は、内面７４ａ側から外面７４ｂ側へ向かって傾斜した傾斜部７３ａと、傾斜部７３ａに連続して形成された平坦部７３ｂとが形成されている。平坦部７２ｂと平坦部７３ｂとの間隔Ｗ３１は、開口部７１の中心軸Ｊ方向に一定である。
【００５３】
次に、撮像システム６０に背面ケース７０を組み付ける方法について説明する。
【００５４】
図１２は、撮像システム６０と背面ケース７０の分解斜視図であり、組み付け前の状態を示す。図１３は、撮像システム６０に背面ケース７０を組み付けた後の状態を示す。なお、図１２及び図１３において図示を省略しているが、撮像システム６０は、カメラボディ１の前面１ｂ（図１参照）側を覆う前面ケースに固定され、背面ケース７０は前面ケースに結合される。また、図１２及び図１３において、背面ケース７０におけるガイドリブ７２及び７３及びその近傍の構成を明瞭に図示するために、背面ケース７０の一部をガイドリブ７２及び７３を通る部分で破断図示した（破断部分にはハッチングを付した）。図１４Ａ〜図１４Ｃは、背面ケース７０を撮像システム６０に組み付ける際のＥＶＦユニット５０の動作を説明するための模式断面図である。図１５Ａ〜図１５Ｃは、背面ケース７０を撮像システム６０に組み付ける際のＥＶＦユニット５０の動作を説明するための模式平面図である。
【００５５】
まず、図１２に示すように、背面ケース７０の内面７４ａを撮像システム６０の放熱板１７が配された側の面に対向させ、背面ケース７０を矢印Ｅに示す方向へ移動させる。それとともに、ＥＶＦユニット５０のケース５１を背面ケース７０の開口部７１に挿入させる。この時、撮像システム６０を構成している各部品の組み付け精度のバラツキや、背面ケース７０における開口部７１の加工精度のバラツキにより、ケース５１と開口部７１との間に相対的な位置ズレが生じる場合がある。
【００５６】
例えば、図１４Ａに示すようにケース５１と開口部７１との相対位置がＹ軸方向にずれている場合において、背面ケース７０を矢印Ｆに示す方向へ移動させてケース５１を開口部７１内に挿入しようとすると、図１４Ｂに示すようにケース５１の端部がガイドリブ７３の傾斜部７３ａに当接する。図１４Ｂに示す状態から背面ケース７０をさらに矢印Ｆに示す方向へ移動させると、ＥＶＦユニット５０は傾斜部７３ａにより押圧されて矢印Ｇに示す方向へ付勢される。本実施の形態では、リブ５１ｂ（リブ５１ａも同様）がネジ６１の頭部とマウントフレーム１４との間に寸法Ｗ１１に示すクリアランスを持って保持されているため、ＥＶＦユニット５０はＹ軸方向へ変位可能である。したがって、ＥＶＦユニット５０は、矢印Ｇに示す方向への付勢力が加わると矢印Ｇに示す方向へ変位する。図１４Ｃは、ＥＶＦユニット５０が平坦部７２ｂと平坦部７３ｂとの対向領域に至るまで、開口部７１ａ内に挿入された状態である。図１４Ｃに示す状態では、ケース５１は、平坦部７２ｂと平坦部７３ｂとに挟持されて位置決めされている。なお、図１４Ａ〜図１４Ｃでは、ガイド部５２の図示を省略している。
【００５７】
以上のように、背面ケース７０の開口部７１内にガイドリブ７２及び７３を備え、ＥＶＦユニット５０がマウントフレーム１４にフローティング可能に保持されていることにより、ＥＶＦユニット５０と背面ケース７０とを組み付ける際にＥＶＦユニット５０のＹ軸方向の位置を正規の位置にガイドすることができる。
【００５８】
なお、上記説明では、ＥＶＦユニット５０がガイドリブ７３によって正規の位置にガイドされる構成について説明したが、ＥＶＦユニット５０と背面ケース７０とを組み付ける際にＥＶＦユニット５０がガイドリブ７２に当接した場合は、ＥＶＦユニット５０の変位方向が異なるのみで基本的な位置決め動作は同じである。
【００５９】
一方、ＥＶＦユニット５０のＸ軸方向のガイドは、ＥＶＦユニット５０に形成されたガイド部５２と、背面ケース７０の開口部７１内に形成されたガイドリブ７２及び７３（便宜上、図１５Ａ〜図１５Ｃにはガイドリブ７２のみ図示）とにより行われる。具体的には、まず、図１５Ａに示すように、ＥＶＦユニット５０と背面ケース７０とが離間した状態から、背面ケース７０を矢印Ｆに示す方向へ移動させ、ケース５１を開口部７１に挿入する。この時、図１５Ａに示すようにケース５１と開口部７１との相対位置がＸ軸方向にずれている場合において、背面ケース７０を矢印Ｆに示す方向へ移動させてケース５１を開口部７１内に挿入しようとすると、図１５Ｂに示すようにガイドリブ７２がガイド部５２の傾斜部５２ａに当接する。図１５Ｂに示す状態から背面ケース７０をさらに矢印Ｆに示す方向へ移動させると、ＥＶＦユニット５０はガイドリブ７２により押圧されて矢印Ｈに示す方向へ付勢される。本実施の形態では、図１０に示すように、リブ５１ｂに形成された孔部５１ｄの内面とボス６３との間に寸法Ｗ１２に示すクリアランスがあるため、ＥＶＦユニット５０はＸ軸方向へ変位可能である。したがって、図１５Ｂに示すように、ＥＶＦユニット５０は、矢印Ｈに示す方向への付勢力が加わると矢印Ｈに示す方向へ変位する。図１５Ｃは、ＥＶＦユニット５０が、ガイドリブ７２が一対の平坦部５２ｂ間に至るまで、開口部７１ａ内に挿入された状態である。図１５Ｃに示す状態では、ガイドリブ７２が平坦部５２ｂに挟持されてＸ軸方向の位置決めがなされている。
【００６０】
以上のように、背面ケース７０の開口部７１内にガイドリブ７２及び７３を備え、ＥＶＦユニット５０のケース５０の上面及び下面にそれぞれガイド部５２を備え、ＥＶＦユニット５０がマウントフレーム１４に変位（フローティング）可能に保持されていることにより、ＥＶＦユニット５０と背面ケース７０とを組み付ける際にＥＶＦユニット５０のＸ軸方向の位置を正規の位置にガイドすることができる。
【００６１】
〔４．実施の形態の効果、他〕
本実施の形態によれば、ＥＶＦユニット５０をマウントフレーム１４に対して変位（フローティング）可能に保持したことにより、撮像システム６０に背面ケース７０を組み付ける際にＥＶＦユニット５０の位置を変位させることができるため、撮像システム６０を形成している各部品や背面ケースの取付精度や加工精度にバラツキが生じていたとしても、ＥＶＦユニット５０を背面ケース７０の開口部７１の正規の位置へガイドして配置することができる。したがって、ＥＶＦユニット５０と開口部７１との間に隙間が生じないため、デジタルカメラの品格を向上させることができる。
【００６２】
また、ＥＶＦユニット５０を２本のネジ６１でマウントフレーム１４に保持する構成としたことにより、従来のように４本のネジで保持する構成と比べて部品点数を削減することができ、コストダウンを図ることができる。特に、本実施の形態で説明したような、ミラーボックスを備えない一眼タイプのデジタルカメラにおいてその効果を発揮する。すなわち、ミラーボックスを備えた一眼レフタイプのデジタルカメラでは、光学ビューファインダーユニットをミラーボックスに直接固定することができたが、本実施の形態で説明したようなミラーボックスを備えない一眼タイプのデジタルカメラでは、ＥＶＦユニットの一部を固定することが困難となる。そこで本実施の形態では、ＥＶＦユニット５０の一部をマウントフレーム１４に固定し、他の部位を背面ケース７０の開口部７１に保持させる構成としたことにより、ミラーボックスを備えないデジタルカメラにおいてもＥＶＦユニットを保持することができる。
【００６３】
なお、本実施の形態では、ガイド部５２をＥＶＦユニット５０のケース５１の上面及び下面のそれぞれに形成し、ガイドリブ７２及び７３を背面ケース７０の開口部７１の内面に形成する構成としたが、少なくともケース５１の上面にガイド部５２を形成し、背面ケース７０にはガイドリブ７２を備える構成とすることで本実施の形態と同様の効果を得ることができる。また、ガイド部５２に相当する構成を開口部７１の内面に形成し、ガイドリブ７２及び７３に相当する構成をケース５１の上面及び下面に形成する構成であっても、本実施の形態と同様の効果を得ることができる。また、ガイド部５２をケース５１の上面及び下面に略直交かつ互いに対向する一対の側面に形成し、ガイドリブ７２及び７３を開口部７１の内面において一対のガイド部５２に係合可能な位置に形成する構成であっても、本実施の形態と同様の効果を得ることができる。
【００６４】
また、本実施の形態では、カメラボディ１のみを図示して説明し、カメラボディ１を本発明の撮像装置の一例として挙げて説明したが、本発明における撮像装置には、レンズユニットが装着されたカメラボディ、レンズ一体型カメラを含むものとする。
【００６５】
また、本実施の形態では、ＥＶＦユニット５０をマウントフレーム１４に装着する手段としてネジ６１を用いたが、少なくともＥＶＦユニット５０のリブ５１ａ及び５１ｂがボス６３から離脱するのを防止できる構成であれば本実施の形態と同様の効果を得ることができる。例えば、ボス６３の先端にＥリングなどの離脱防止部品を装着する構成でもよい。
【００６６】
また、電子ビューファインダー（ＥＶＦ）を備え、ＥＶＦの一部を外装ケースに保持させる構成を採用した一眼レフタイプのデジタルカメラであってもよい。また、ＥＶＦに代えて光学式ビューファインダー（ＯＶＦ）を備えたデジタルカメラであってもよい。
【００６７】
また、本実施の形態におけるガイドリブ７２及び７３は、本発明におけるリブの一例である。また、本実施の形態におけるガイド部５２は、本発明における保持部の一例である。また、本実施の形態におけるＥＶＦユニット５０は、本発明におけるビューファインダーユニットの一例である。また、本実施の形態における撮像システム６０またはマウントフレーム１４は、本発明における構造体の一例である。また、本実施の形態における開口部７１は、本発明における開口部の一例である。
【産業上の利用可能性】
【００６８】
本発明の撮像装置は、ファインダーユニットを備えたデジタルカメラに有用であり、特にミラーボックスを備えない一眼タイプのデジタルカメラに有用である。
【図面の簡単な説明】
【００６９】
【図１】実施の形態における撮像装置の外観を示す斜視図
【図２】実施の形態における撮像装置の外観を示す正面図
【図３】実施の形態における撮像装置の外観を示す背面図
【図４Ａ】撮像システムの分解斜視図
【図４Ｂ】マウントユニットの分解斜視図
【図４Ｃ】シャッターユニット、撮像ユニット、放熱板などの分解斜視図
【図５Ａ】撮像ユニットの分解斜視図
【図５Ｂ】撮像ユニットの分解構成の一部を拡大した斜視図
【図５Ｃ】撮像ユニットの分解構成の一部を拡大した斜視図
【図６】撮像システム及び背面ケースの分解斜視図
【図７Ａ】撮像システムの正面図
【図７Ｂ】撮像システムの上面図
【図７Ｃ】図７ＡにおけるＡ−Ａ部の断面図
【図８】撮像ユニットとＥＶＦユニットの分解斜視図
【図９】撮像システムの斜視図
【図１０】撮像システムの要部断面図
【図１１Ａ】背面ケースの正面図
【図１１Ｂ】図１１ＡにおけるＢ−Ｂ部の断面図
【図１１Ｃ】背面ケースの要部断面図
【図１２】撮像システムと背面ケースの分解斜視図
【図１３】撮像システムと背面ケースを結合した状態を示す斜視図
【図１４Ａ】ＥＶＦユニットと背面ケースの結合状態を模式的に示した要部断面図
【図１４Ｂ】ＥＶＦユニットと背面ケースの結合状態を模式的に示した要部断面図
【図１４Ｃ】ＥＶＦユニットと背面ケースの結合状態を模式的に示した要部断面図
【図１５Ａ】ＥＶＦユニットと背面ケースの結合状態を模式的に示した模式平面図
【図１５Ｂ】ＥＶＦユニットと背面ケースの結合状態を模式的に示した模式平面図
【図１５Ｃ】ＥＶＦユニットと背面ケースの結合状態を模式的に示した模式平面図
【符号の説明】
【００７０】
３０  撮像システム
５０  ＥＶＦユニット
５２  ガイド部
７０  背面ケース
７２，７３  ガイドリブ
【図１】
2010107747.tif 000003
【図２】
2010107747.tif 000004
【図３】
2010107747.tif 000005
【図４Ａ】
2010107747.tif 000006
【図４Ｂ】
2010107747.tif 000007
【図４Ｃ】
2010107747.tif 000008
【図５Ａ】
2010107747.tif 000009
【図５Ｂ】
2010107747.tif 000010
【図５Ｃ】
2010107747.tif 000011
【図６】
2010107747.tif 000012
【図７Ａ】
2010107747.tif 000013
【図７Ｂ】
2010107747.tif 000014
【図７Ｃ】
2010107747.tif 000015
【図８】
2010107747.tif 000016
【図９】
2010107747.tif 000017
【図１０】
2010107747.tif 000018
【図１１Ａ】
2010107747.tif 000019
【図１１Ｂ】
2010107747.tif 000020
【図１１Ｃ】
2010107747.tif 000021
【図１２】
2010107747.tif 000022
【図１３】
2010107747.tif 000023
【図１４Ａ】
2010107747.tif 000024
【図１４Ｂ】
2010107747.tif 000025
【図１４Ｃ】
2010107747.tif 000026
【図１５Ａ】
2010107747.tif 000027
【図１５Ｂ】
2010107747.tif 000028
【図１５Ｃ】
2010107747.tif 000029